(57)【特許請求の範囲】
【請求項１】
所定時間毎に出力される矩形パルスのパルス幅により規定される情報に基づいた時刻情報を含む信号を受信し、
受信した上記信号に含まれる上記矩形パルスの発生タイミングをｎ＋１（ｎは２以上の整数）回検出し、
検出した上記矩形パルスの発生タイミングの間隔をｎ回測定し、
測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、
決定した上記開始タイミングに基づき上記時間フレームを発生し、
発生した上記時間フレームに基づき受信した上記信号に含まれる上記矩形パルスから上記情報を読み取り、その読み取った情報に基づいて上記時刻情報を検出する
ことを特徴とする時刻情報検出方法。
【請求項２】
所定時間毎に出力される矩形パルスのパルス幅により規定される情報に基づいた時刻情報を含む信号を受信する受信部と、
受信した上記信号に含まれる上記矩形パルスの発生タイミングをｎ＋１（ｎは２以上の整数）回検出する発生タイミング検出部と、
上記発生タイミング検出部が検出した上記矩形パルスの発生タイミングの間隔をｎ回測定する間隔測定部と、
上記間隔測定部が測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、決定した上記開始タイミングに基づき上記時間フレームを発生する時間フレーム出力部と、
上記時間フレーム出力部が発生する上記時間フレームに基づき上記受信部が受信した上記信号に含まれる上記矩形パルスから上記情報を読み取り、その読み取った情報に基づいて上記時刻情報を検出する時刻情報検出部と
を含むことを特徴とする時刻情報検出装置。
【請求項３】
現在時刻を計時する計時部と、請求項２に記載の時刻情報検出装置と、上記時刻情報検出装置が検出した上記時刻情報に基づき上記計時部の計時時刻を修正する時刻修正部とを含むことを特徴とする電波修正時計。
【発明の詳細な説明】
【０００１】
【発明の技術分野】
本発明は、所定時間毎に出力される矩形パルスのパルス幅により規定される情報に基づいた時刻情報を含む信号から時刻情報を検出する時刻情報検出方法、時刻情報検出装置および電波修正時計に関する。
【０００２】
【従来の技術】
現在、日本国では郵政省通信総合研究所によって時刻情報を含んだ送信周波数４０ｋＨｚの長波標準電波が発信・運用されている。この長波標準電波に含まれる時刻情報の信号は１分間を１サイクルとして１月１日からの累積日数から時、分までの時刻データをバイナリーコードで直列に送出されている。具体的には、１ビットを１秒周期の矩形パルスとし、“０”、“１”の重みづけはそれぞれ１秒フレーム内のパルスの継続時間（パルス幅）を８００ｍｓ、５００ｍｓとすることにより表し、さらにマーカＰとして１秒フレーム内のパルスの継続時間（パルス幅）が２００ｍｓのパルスを用い、このような信号で４０ｋＨｚの搬送波を振幅変調している。
【０００３】
このような長波標準電波から時刻情報を取得するには、最初に上記矩形パルスのパルス継続時間を測定する際の基準として用いる１秒の時間間隔を有する秒フレームの開始タイミングを上記矩形パルスの立ち上がり（矩形パルスの発生タイミング）に同期もしくはほぼ同期するようにし、この開始タイミングを基準に秒フレームを刻んでいき、各秒フレームにおける上記矩形パルスのパルスの継続時間を計測してマーカＰの連続する正分のタイミングを取得し、続いて各秒フレームにおける上記矩形パルスのパルスの継続時間から“０”、“１”のビットデータを取得し、取得したビットデータをデコードして時刻情報を得るという手順を一般にとっている。
【０００４】
秒フレームの開始タイミングの決定の仕方としては、以下に示すような２つの方式が従来採用されている。
【０００５】
第１の方式は、受信した連続する矩形パルスの立ち上がりタイミング（発生タイミング）間隔を内部時計で計時しながら、その計時内容と１秒とを比較し、その差が所定範囲内で、かつこの状態が所定回数連続した場合に、最後に検出した矩形パルスの立ち上がりタイミングをそのまま秒フレームの開始タイミングとするものである。
【０００６】
第２の方式は、受信した連続する矩形パルスの立ち上がりタイミング（発生タイミング）間隔を内部時計で計時しながら、その計時内容と１秒とを比較し、その差が所定範囲内で、かつこの状態が所定回数連続した場合に、上記所定範囲内の上記計時内容と１秒との差を積算した値を上記所定回数で割った値を求め、この求めた値で最後に検出した矩形パルスの立ち上がりタイミングを補正したタイミングを秒フレームの開始タイミングとするものである。
【０００７】
上述した従来の第１および第２の方式を図２を参照して簡単に説明する。なお、図２ａは郵政省通信総合研究所が管理している送信機から送信されている長波標準電波に含まれる上述した時刻情報（矩形パルスの信号）の一部を示した波形図であり、図２ｂは図２ａに示した矩形パルスの立ち上がりタイミング（送信タイミング）ＴＦ０、ＴＦ１、ＴＦ２、ＴＦ３、ＴＦ４等を示した送信フレーム（正確な１秒周期）を示した波形図であり、図２ｃは受信した信号に含まれる矩形パルスの立ち上がりタイミング（発生タイミング）ＲＦ０、ＲＦ１、ＲＦ２、ＲＦ３、ＲＦ４等を示した受信フレーム（このタイミングは後述するようにノイズ等により揺らぎが生じる。）を示した波形図である。図中のＴ１〜Ｔ４はそれぞれ図２ｃに示した矩形パルスの立ち上がりタイミング（発生タイミング）の間隔を示し、Δｔ０〜Δｔ４はそれぞれ受信した信号に含まれる矩形パルスの発生タイミング（図２ｃ参照）とこの受信した矩形パルスが送信される際の送信タイミング（図２ａ参照）との差を示したものである。
【０００８】
上述した第１の方式では、例えば所定範囲が±３２ｍｓで所定回数を４回とし図２ｃのＲＦ０から計測を開始したとすると、Ｔ１〜Ｔ４の全てが１秒±３２ｍｓの範囲内であった場合、ＲＦ４のタイミングが秒フレームの開始タイミングとなる。
【０００９】
上述した第２の方式では、例えば所定範囲が±３２ｍｓで所定回数を４回とし図２ｃのＲＦ０から計測を開始したとすると、Ｔ１〜Ｔ４の全てが１秒±３２ｍｓの範囲内であった場合、｛（Ｔ１−１）+（Ｔ２−１）+（Ｔ３−１）+（Ｔ４−１）｝／４をＲＦ４のタイミングから減じたタイミングが秒フレームの開始タイミングとなる。
【００１０】
【発明が解決しようとする課題】
電波を利用する環境においては、都市ノイズや家電製品などから発生するノイズなどが存在し、このノイズにより長波標準電波に含まれる矩形パルスのタイミングにずれが生じてしまう。
【００１１】
ノイズのない環境であれば、受信した信号に含まれる矩形パルスの立ち上がりタイミング（発生タイミング）は、送信される信号に含まれる矩形パルスの立ち上がりタイミング（送信タイミング）に対して受信部で生じる一定の遅延時間だけ遅れたタイミングとなるが、上述したようなノイズのある環境では受信した信号に含まれる矩形パルスの立ち上がりタイミング（発生タイミング）は図２ｃに示すように揺らいでしまう。
【００１２】
このような環境において、上述した第１の方式は、上記所定範囲を小さくしてしまうと秒フレームの開始タイミングの精度は向上するが、秒フレームの開始タイミングを決定するまでの時間が長くなり、上記所定範囲を大きくしてしまうと秒フレームの開始タイミングの精度が悪化する。また、最後に検出した矩形パルスの立ち上がりタイミングをそのまま秒フレームの開始タイミングとするので、受信した連続する矩形パルスの立ち上がりタイミング（発生タイミング）間隔を複数回測定しているにもかかわらず、秒フレームの開始タイミングが最後の検出した矩形パルスの立ち上がりタイミングのみに依存してしまう。つまり、それまでに検出した受信した矩形パルスの立ち上がりタイミングが反映されない。先に図２を用いて説明した具体例で言えば、Ｔ１〜Ｔ４を測定しているのに、秒フレームの開始タイミングの反映される部分はＴ４に関連するΔｔ４のみとなる。
【００１３】
これに対して、上述した第２の方法は、最後に検出した矩形パルスの立ち上がりタイミングを｛（Ｔ１−１）+（Ｔ２−１）+（Ｔ３−１）+（Ｔ４−１）｝／４で求められる値で補正しているので、上記の第１の方式よりは最後に検出した矩形パルスの立ち上がりタイミングに対する依存度は低くなるが、この方式だと、最初に測定した矩形パルスの立ち上がりタイミング（発生タイミング）に関連する部分、すなわち図２で示すΔｔ０に対する依存度が付加されるだけとなり、受信した連続する矩形パルスの立ち上がりタイミング（発生タイミング）を複数回測定しているにもかかわらず、秒フレームの開始タイミングが最初と最後に検出した矩形パルスの立ち上がりタイミングのみに依存し、その間に検出した矩形パルスの立ち上がりタイミング（発生タイミング）が考慮されなくなってしまう。
【００１４】
以下に、その理由を説明する。図２にＴ１、Ｔ２等と示した間隔の一般形をＴ（ｎ）とし、このＴ（ｎ）の１秒に対する誤差をΔＴ（ｎ）とすると、図２に示した関係から、
ΔＴ（ｎ）＝Ｔ（ｎ）−１＝（１＋Δｔ（ｎ）−Δｔ（ｎ−１））−１
＝ΔＴ（ｎ）−Δｔ（ｎ−１）・・・・・式１
となる。よって、従来の第２の方式のように、ｎ個の受信した連続する矩形パルスの立ち上がりタイミング（発生タイミング）間隔の１秒に対する誤差を積算してｎで割ると
（ΔＴ１＋ΔＴ２＋・・・＋ΔＴ（ｎ））／ｎ
＝｛（Δｔ１−Δｔ０）＋（Δｔ２−Δｔ１）＋・・・＋（Δｔ（ｎ）−Δｔ（ｎ−１））｝／ｎ
＝（Δｔ（ｎ）−Δｔ０）／ｎ
となり、Δｔ１、Δｔ２、・・・、Δｔ（ｎ−１）が反映されず、秒フレームの開始タイミングが最初と最後に検出した矩形パルスの立ち上がりタイミングのみすなわちΔｔ（ｎ）とΔｔ０のみに依存し、その間に検出した矩形パルスの立ち上がりタイミング（発生タイミング）が考慮されていない。つまり、このような方式に基づき秒フレームの開始タイミングを決定する場合、検出する矩形パルスの発生タイミングの数を多くしても秒フレームの開始タイミングの精度が上がらなくなる。
【００１５】
このようにして決定された秒フレームを利用して時刻情報を検出した場合、秒フレームの開始タイミングの誤差に起因して所定の精度以上の時刻情報検出は行えなくなってしまう。よって、上述したような揺らぎが発生する受信環境では、正確な時刻情報を得難くなってしまう。
【００１６】
本発明の目的は、受信信号に揺らぎが発生している場合でも時刻情報の検出精度の低下を抑制可能な時刻情報検出方法、時刻情報検出装置および電波修正時計を提供することである。
【００１８】
【課題を解決するための手段】
第１の発明は、所定時間毎に出力される矩形パルスのパルス幅により規定される情報に基づいた時刻情報を含む信号を受信し、受信した上記信号に含まれる上記矩形パルスの発生タイミングをｎ＋１（ｎは２以上の整数）回検出し、検出した上記矩形パルスの発生タイミングの間隔をｎ回測定し、測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、決定した上記開始タイミングに基づき上記時間フレームを発生し、発生した上記時間フレームに基づき受信した上記信号に含まれる上記矩形パルスから上記情報を読み取り、その読み取った情報に基づいて上記時刻情報を検出する各ステップを含む時刻情報検出方法である。この方法によれば、測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、上記開始タイミングに基づき上記時間フレームを発生するので、検出する矩形パルスの発生タイミングの数によらず、検出した全ての矩形パルスの発生タイミングとその矩形パルスの送信タイミングとの誤差を考慮して時間フレームの開始タイミングを決定できる。よって、この時刻フレームに基づき上記矩形パルスから上記情報を読み取り、その読み取った情報に基づいて上記時刻情報を検出することで、時刻情報の検出精度を向上できる。
【００２０】
第２の発明は、所定時間毎に出力される矩形パルスのパルス幅により規定される情報に基づいた時刻情報を含む信号を受信する受信部と、受信した上記信号に含まれる上記矩形パルスの発生タイミングをｎ＋１（ｎは２以上の整数）回検出する発生タイミング検出部と、上記発生タイミング検出部が検出した上記矩形パルスの発生タイミングの間隔をｎ回測定する間隔測定部と、上記間隔測定部が測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、決定した上記開始タイミングに基づき上記時間フレームを発生する時間フレーム出力部と、上記時間フレーム出力部が発生する上記時間フレームに基づき上記受信部が受信した上記信号に含まれる上記矩形パルスから上記情報を読み取り、その読み取った情報に基づいて上記時刻情報を検出する時刻情報検出部とを含む時刻情報検出装置である。かかる構成によれば、測定した上記ｎ個の間隔それぞれの上記所定時間との差をΔＴ１、ΔＴ２、・・・、ΔＴ（ｎ−１）、ΔＴｎとした際に、上記矩形パルスの（ｎ＋１）個目の発生タイミングを−（ΔＴ１＋２×ΔＴ２＋・・・＋（ｎ−１）ΔＴ（ｎ−１）＋ｎ×ΔＴｎ）／（ｎ＋１）なる値で補正したタイミングに基づき上記所定時間と同一の時間間隔を規定する時間フレームの開始タイミングを決定し、上記開始タイミングに基づき上記時間フレームを発生するので、検出する矩形パルスの発生タイミングの数によらず、検出した全ての矩形パルスの発生タイミングとその矩形パルスの送信タイミングとの誤差を考慮して時間フレームの開始タイミングを決定できる。よって、この時刻フレームに基づき上記矩形パルスから上記情報を読み取り、その読み取った情報に基づいて上記時刻情報を検出することで、時刻情報の検出精度を向上できる。
【００２１】
第３の発明は、現在時刻を計時する計時部と、請求項２に記載の時刻情報検出装置と、上記時刻情報検出装置が検出した上記時刻情報に基づき上記計時部の計時時刻を修正する時刻修正部とを含む電波修正時計である。かかる構成によれば、時刻情報検出装置が高精度で検出した時刻情報に基づき計時部の計時時刻を修正するので、計時部が時刻する現在時刻の精度が向上する。
【００２２】
【発明の実施の形態】
以下、本発明の実施の一形態を図面に示す一実施例に基づき説明する。なお、本例は、受信した連続する矩形パルスの立ち上がりタイミング（発生タイミング）間隔を計時しながら、その計時内容と１秒とを比較し、その差が±３２ｍｓ以内で、かつこの状態がｎ（ｎは２以上の整数とする。）回連続した場合に、最後に検出した矩形パルスの立ち上がりタイミングを後述するように補正したタイミングを秒フレームの開始タイミングとするものである。
【００２３】
図１において、１は受信部で、アンテナ、検波回路、整流回路等を備え、上記の郵政省通信総合研究所によって発信・運用されている時刻情報を含んだ長波標準電波を受信し、波形成形し、復調して時刻情報（時刻コード）を表す矩形パルスをシリアルに出力する。なお、本例では、受信部１の動作時刻すなわち受信動作時刻はＡＭ０：５８からＡＭ１：０６に設定してある。この時刻は時刻表示部２の時刻指針（図示せず。）と連動して回転するカム（図示せず。）および検出スイッチ（図示せず。）により設定される。時刻表示部２は、時刻計時部３が計時する現在時刻を表示する。４は発生タイミング検出部としての立ち上がり検出部で、受信部１から出力される矩形パルスの立ち上がりを検出する。５は間隔測定部としてのカウンタで、立ち上がり検出部４から出力が発生するたびにクリアされるとともに基準信号出力部６から出力される基準信号のカウントを開始する。つまり、カウンタ５は立ち上がり検出部４が検出した上記矩形パルスの発生タイミングの間隔を測定するものである。７はカウント値記憶部で、立ち上がり検出部４から出力が発生した際にそれまでカウンタ５が出力していたカウント値、すなわち立ち上がり検出部４が検出した上記矩形パルスの発生タイミングの間隔を記憶していく。８は時間差検出部で、カウント値記憶部７に記憶された上記矩形パルスの発生タイミングの間隔と１秒との差（ΔＴｎ）を検出する。９は時間差判定部で、時間差検出部８が検出した上記矩形パルスの発生タイミングの間隔と１秒との差（ΔＴｎ）が所定範囲内（本例では±３２ｍｓ以内）か否かを判定し、所定範囲内の場合はカウンタ１０のカウント値を＋１する出力を発生し、所定範囲から外れている場合はカウンタ１０のカウント値をクリアする出力を発生する。また、時間差判定部９は時間差検出部８が検出した上記矩形パルスの発生タイミングの間隔と１秒との差（ΔＴｎ）を記憶する。なお、時間差検出部８が記憶する上記差（ΔＴｎ）の数は本例ではｎ個としており、常に新しいｎ個の差（ΔＴｎ）が記憶されるものである。カウンタ１０はカウント値が“ｎ”となったときに秒フレーム出力部１１に出力を発生する。時間フレーム出力部としての秒フレーム出力部１１は、カウンタ１０から出力が発生した際に時間差判定部９に記憶されているｎ個の上記矩形パルスの発生タイミングの間隔と１秒との差（ΔＴ１〜ΔＴｎ）とカウンタ５のカウント値とに基づき秒フレームの開始タイミングを決定し、決定した秒フレームの開始タイミングに基づき基準信号出力部の出力をカウントして１秒周期の秒フレームをビットデータ変換部１２に出力する。ビットデータ変換部１２は、受信部１から出力される矩形パルスを各秒フレーム内のパルスの継続時間に基づき、“１”、“０”、“Ｐ（マーカ）”の３値のデータに変換する。１３は時刻修正部としての時刻情報取得部で、ビットデータ変換部１２が出力する３値データに基づき時刻情報を検出し、検出した時刻情報と時刻計時部３の計時時刻に差がある場合、検出した時刻情報に基づき時刻計時部３の計時時刻を修正する。
【００２４】
次に、秒フレーム出力部１１が行う秒フレームの開始タイミングの決定動作について説明する。まず、動作の概要を説明する。なお、郵政省通信総合研究所によって発信されている長波標準電波に含まれる矩形パルスの送信タイミング（図２ｂのＴＦ０、ＴＦ１、ＴＦ２、ＴＦ３、ＴＦ４等）は、受信側で知る術がないが、便宜上各送信タイミングと受信した信号に含まれる各矩形パルスの立ち上がりタイミングとの誤差を図２に示すようにΔｔ０、Δｔ１、・・・、Δｔｎと仮定して説明を行う。また、説明を簡略化するため、ｎ＝４すなわち図２のＲＦ０、ＲＦ１、・・・、ＲＦ４までの各矩形パルスの立ち上がりタイミングを検出し、最後に検出するＲＦ４のタイミングを補正する例を示す。
【００２５】
図２において、郵政省通信総合研究所によって発信されている長波標準電波に含まれる矩形パルスの送信タイミング（図２ｂのＴＦ０、ＴＦ１、ＴＦ２、ＴＦ３、ＴＦ４）に対する立ち上がり検出部４が検出する矩形パルスの立ち上がりタイミング（図２ｃのＲＦ０、ＲＦ１、・・・、ＲＦ４）の差の平均値をΔｔ’とすると、
Δｔ’＝（Δｔ０＋Δｔ１＋Δｔ２＋Δｔ３＋Δｔ４）／５
となり、ＲＦ４のタイミングを各送信タイミングと立ち上がり検出部４が検出する各矩形パルスの立ち上がりタイミングとの各々の差を平均化した値で規制するための補正値は、Δｔ’−Δｔ４となる。すなわち、
補正値＝（Δｔ０＋Δｔ１＋Δｔ２＋Δｔ３＋Δｔ４）／５−Δｔ４・・・式２
となる。また、上述した式１より
Δｔ０＝Δｔ０
Δｔ１＝ΔＴ１＋Δｔ０
Δｔ２＝ΔＴ１＋ΔＴ２＋Δｔ０
Δｔ３＝ΔＴ１＋ΔＴ２＋ΔＴ３＋Δｔ０
Δｔ４＝ΔＴ１＋ΔＴ２＋ΔＴ３＋ΔＴ４＋Δｔ０
の関係が成り立つので、この関係を式２に代入すると
補正値＝−（ΔＴ１＋２×ΔＴ２＋３×ΔＴ３＋４×ΔＴ４）／５・・・式３
となり、この補正値をもってＲＦ４のタイミングを調整することにより、図１の時間差検出部８で検出する値（差）から、立ち上がり検出部４が検出する各矩形パルスの立ち上がりタイミングとそれらの送信タイミングとの各々の差を平均化した値すなわちΔｔ’を求めることが可能となる。なお、式３はｎ＝４としたときにものを示しているが、式３をｎを用いて表すと、
補正値＝−（ΔＴ１＋２×ΔＴ２＋・・・＋（ｎ−１）ΔＴ（ｎ−１）＋ｎ×ΔＴｎ）／（ｎ＋１）・・・式４
となる。
【００２６】
実際の秒フレーム出力部１１の動作としては、カウンタ１０が“ｎ”をカウントした際に発生する出力が入力すると、そのとき時間差判定部９が記憶しているｎ個の矩形パルスの発生タイミングの間隔と１秒との差の値（ΔＴ１〜ΔＴｎ）を読み出し、上記式４から求まる補正値を算出する。さらにそのときのカウンタ５のカウント値を読み出し（なお、このカウント値は立ち上がり検出部４が最後に検出した矩形パルスの立ち上がりタイミングからの経過時間を示している。）、読み出したカウント値を上記式４から求まる補正値で補正し、補正したカウント値から基準信号出力部６の出力をカウントし、このカウント値が１秒に相当する値になると、１秒周期の秒フレーム信号の出力を開始する。この秒フレーム信号は、カウンタ１０が連続ｎ回カウントアップしていく間に立ち上がり検出部４が検出した矩形パルスの立ち上がりタイミングとそれらの矩形パルスが送信されるタイミングとの各々の誤差の平均（Δｔ’）に基づき開始タイミングが調整されているので、従来の場合よりも、矩形パルスの送信タイミングとの同期誤差を少なくできる。よって、ビットデータ変換部１２が、この秒フレーム内のパルスの継続時間に基づき、“１”、“０”、“Ｐ（マーカ）”の３値のデータに変換する際の変換誤りを少なくでき、時刻情報の検出確率が向上し、検出した時刻情報に基づき計時時刻が修正される時刻計時部３の計時精度も向上する。
【００２７】
また、秒フレームの開始タイミングを補正する際に用いる時間差検出部８の出力を、時間差判定部９が判定する情報としても用いているので、データの簡素化が図れる。
【００２８】
なお、上記では、時間差判定部９の判定基準を時間差検出部８の出力が±３２ｍｓ以内か否かとしたが、この判定基準は±３２ｍｓ以内か否かに限らず、適宜変更可能である。
【００２９】
【発明の効果】
本発明によれば、所定時間毎に出力される矩形パルスのパルス幅により規定される情報に基づいた時刻情報を含む信号を受信した際に、その受信した信号に含まれる矩形パルスの発生タイミングの揺らぐような環境下であっても、受信した信号から検出した矩形パルスの立ち上がりタイミングとそれらの矩形パルスが送信されるタイミングとの各々の誤差の平均に基づき矩形パルスから時刻情報を読み取る際に用いる時間フレームの開始タイミングを調整するので、従来の場合より、時間フレームの開始タイミングと矩形パルスの送信タイミングとの同期誤差を少なくでき、よって、時刻情報の検出精度が向上する。
【図面の簡単な説明】
【図１】本発明の一実施例を示したブロック図。
【図２】送信される矩形パルスとその送信タイミングおよぶその受信タイミングを示した波形図。
【符号の説明】
１      受信部
３      計時部
４      発生タイミング検出部
５      発生間隔測定部
１１      時間フレーム出力部
１２、１３      時刻情報検出部
１３      時刻情正部
【図１】
0004753484.tif 000002
【図２】
0004753484.tif 000003